(57)【要約】【課題】  従来、給油取扱所の火気使用禁止区域内で土壌中の気体等の採取・調査で地面に採取孔をあけるためにハンマードリルなどの電気設備を使用するためには、採取孔ポイントの四方を仮設防火塀又は防炎シートで囲み火気使用禁止区域から隔離する必要があったが、仮設防火塀又は防炎シートの敷設は手間や時間がかかるという欠点があった。【解決手段】  本発明の給油取扱所土壌中の物質採取孔形成装置は、地面に垂立させる枠体と、この枠体に上下動自在に設けたドリル本体及びドリルを駆動せしめる電気的駆動部と、上記電気的駆動部が地上から一定の距離より下方に下がらないよう規制するストッパーとよりなることを特徴とする。また、上記枠体に設けた、上記枠体の傾動時に上記電気的駆動部への通電を停止せしめる手段とを更に有する。また、上記枠体は移動用の車輪を有する。【選択図】  図２
2006028988.tif 000002
【特許請求の範囲】
【請求項１】
地面に垂立させる枠体と、この枠体に上下動自在に設けたドリル本体及びドリルを駆動せしめる電気的駆動部と、上記電気的駆動部が地上から一定の距離より下方に下がらないよう規制するストッパーとよりなることを特徴とする給油取扱所土壌中の物質採取孔形成装置。
【請求項２】
上記枠体に設けた、上記枠体の傾動を検知して上記電気的駆動部への通電を停止せしめる手段を更に有することを特徴とする請求項１記載の給油取扱所土壌中の物質採取孔形成装置。
【請求項３】
上記枠体に枠体移動用の車輪を設けたことを特徴とする請求項１または２記載の給油取扱所土壌中の物質採取孔形成装置。
【発明の詳細な説明】
【技術分野】
【０００１】
本発明は給油取扱所土壌中の物質採取孔形成装置、特に給油取扱所等の火気使用禁止区域で使用する土壌中の物質採取孔形成装置に関するものである。
【背景技術】
【０００２】
給油取扱所においては、給油設備から所定の範囲の地面から６０ｃｍまでの区域は火気使用禁止区域として指定され、この火気使用禁止区域内で電気設備を使用することは制限されている。
【０００３】
従って、この火気使用禁止区域内で土壌中の気体又は地下水の採取・調査で地面に採取孔をあけるためにハンマードリルなどの電気設備を使用するためには、採取孔ポイントの四方を仮設防火塀又は、簡易的に防炎シートで囲み火気使用禁止区域から隔離する必要があった。このような防炎シートとしては例えば特許文献１に記載のものがある。
【特許文献１】特開平１０−１００２９５号
【発明の開示】
【発明が解決しようとする課題】
【０００４】
然しながら、仮設防火塀や防炎シートの敷設は手間や時間がかかるのみならず完全に行なうことは困難で、安全性に問題があった。
【０００５】
本発明は上記の欠点を除くようにしたものである。
【課題を解決するための手段】
【０００６】
本発明の給油取扱所土壌中の物質採取孔形成装置は、地面に垂立させる枠体と、この枠体に上下動自在に設けたドリル本体及びドリルを駆動せしめる電気的駆動部と、上記電気的駆動部が地上から一定の距離より下方に下がらないよう規制するストッパーとよりなることを特徴とする。
【０００７】
本発明の給油取扱所土壌中の物質採取孔形成装置は、上記枠体に設けた、上記枠体の傾動を検知して上記電気的駆動部への通電を停止せしめる手段を更に有することを特徴とする。
【０００８】
本発明の給油取扱所土壌中の物質採取孔形成装置は、上記枠体に枠体移動用の車輪を設けたことを特徴とする。
【発明の効果】
【０００９】
本発明の給油取扱所土壌中の物質採取孔形成装置においては、ドリル本体が火気使用禁止区域内にあっても、その電気的駆動部が常時火気使用禁止区域外にあるので、仮設防火塀や防炎シートを用いることなく火気使用禁止区域内で土壌中の気体又は地下水の採取・調査のために、地面に採取孔をあけることができるという大きな利益がある。
【００１０】
また、上記枠体の傾動時に上記電気的駆動部の通電を停止する手段を設けたので、電気的駆動部を設けた枠体が不用意に倒れた場合であっても電気的駆動部が火気使用禁止区域内に入る前に、その通電が停止するので安全性が保たれる。
【００１１】
また、移動用の車輪を設けたので、手軽に移動ができる。
【発明を実施するための最良の形態】
【００１２】
以下図面によって本発明の実施例を説明する。
【実施例１】
【００１３】
本発明の給油取扱所土壌中の物質採取孔形成装置は、図１に示すように、矩形状の底板１と、この底板１の上面後部に垂設せしめた枠体２と、上記底板１の上面中央部に垂設せしめた支柱３と、上記支柱３に沿って上下動移動自在なスライド部４と、このスライド部４にその下部を固定したハンマードリル支持枠５と、上記ハンマードリル支持枠５によって保持した、地面孔あけ用のハンマードリル本体６と、上記ハンマードリル支持枠５の所望の高さに固定した、上記ハンマードリル本体６を駆動せしめる電動モータ等の電気的駆動部７と、上記支柱３に設けた、上記電気的駆動部７が地面から例えば６０ｃｍより下方へ移動しないよう、上記ハンマードリル支持枠５の下方への移動を規制するストッパー８と、上記底板１の左右に夫々設けた、上記枠体２が傾動した際に上記電気的駆動部７の通電を停止せしめる２つの安全装置９と、上記枠体２の背面に設けた移動用車輪１０とよりなる。
【００１４】
なお、２ａは枠体２の上部横架材、１１は上記底板１の下面の左右に夫々設けた前後方向に延びる脚部、１２は上記上部横架材２ａと上記支柱３の上端間を連結せしめる固定金具、１３は上記枠体２の上部左右に夫々設けたハンドル、１４は上記ハンマードリル支持枠５に設けた上下方向に延びる貫通溝、１５は上記貫通溝１４に挿入した、上記固定金具１２の先端に固定したガイドピンであり、上記ハンマードリル支持枠５は上記固定金具１２によって上下動自在に支持されている。
【００１５】
また、上記安全装置９は上記枠体２に上記所望の高さ以上の高さで固定した、上記電気的駆動部７の通電を維持・停止せしめるマイクロスイッチ１６と、その上端が上記マイクロスイッチ１６を押圧し、常時下方に押圧するバネ（図示せず）によってその下端が地面に当接される感知棒１７と、上記各感知棒１７を上下方向で夫々ガイドする、上記横架材２ａに固定したパイプ１８とよりなる。
【００１６】
本発明の給油取扱所土壌中の物質採取孔形成装置は上記のような構成であるから、上記ハンマードリル支持枠５を上記支柱３に対して上方に移動せしめた状態で車輪１０を用いて給油取扱所土壌中の物質採取孔形成装置を採取孔ポイントまで移動し、支柱３を垂立せしめ、上記電気的駆動部７に通電してハンマードリル本体６を駆動し、上記ハンマードリル支持枠５を下方に移動せしめながら地面を掘削せしめる。上記ハンマードリル支持枠５は上記ストッパー８により上記電気的駆動部７が地上から６０ｃｍ以下になる前にその下方への移動が規制されるので安全性が保たれる。
【００１７】
また、上記給油取扱所土壌中の物質採取孔形成装置が不注意等で倒れた場合には、図３に示すように、上記バネにより下方に押圧されていた感知棒１７が下方に突出し、上記感知棒１７の上端が上記マイクロスイッチ１６の押圧を解除するので、電気的駆動部７の通電が停止され安全性を高めることができる。
【００１８】
また、移動の際には上記給油取扱所土壌中の物質採取孔形成装置を傾動せしめれば移動用車輪を利用することができるので、移動が便利となる。
【図面の簡単な説明】
【００１９】
【図１】本発明の給油取扱所土壌中の物質採取孔形成装置の正面図である。
【図２】本発明の給油取扱所土壌中の物質採取孔形成装置の側面図である。
【図３】本発明の給油取扱所土壌中の物質採取孔形成装置の傾斜した状態を示す説明用正面図である。
【符号の説明】
【００２０】
１    底板
２    枠体
２ａ  横架材
３    支柱
４    スライド部
５    ハンマードリル支持枠
６    ハンマードリル本体
７    電気的駆動部
８    ストッパー
９    安全装置
１０    車輪
１１    脚部
１２    固定金具
１３    ハンドル
１４    貫通溝
１５    ガイドピン
１６    マイクロスイッチ
１７    感知棒
１８    パイプ
【図１】
2006028988.tif 000003
【図２】
2006028988.tif 000004
【図３】
2006028988.tif 000005